(57)【特許請求の範囲】
【請求項１】
ベーパー蒸気を凝縮させるための、そしてタービンドレンからのタービン排水を冷却するための、メイン凝縮器を備えた熱発電プラントのためのモジュールであって、
ベーパー蒸気を凝縮させるように構成された第１のユニット（１）および前記タービン排水を冷却するように構成された第２のユニット（１０）を備え、前記熱発電プラントのメイン凝縮器は少なくとも前記第２のユニット（１０）に対して接続されており、前記第１のユニット（１）内で生成された凝縮液は、前記第２のユニット（１０）へと移動させることができるモジュール。
【請求項２】
凝縮液ライン（８）は前記第１のユニット（１）から前記第２のユニット（１０）へと凝縮液を移動させるように機能し、蒸気トラップ（９）が前記凝縮液ライン（８）内に存在することを特徴とする請求項１に記載のモジュール。
【請求項３】
前記熱発電プラントのメイン凝縮器のスタンドパイプのために提供される冷却水は、前記第１のユニット（１）を通って流れることができることを特徴とする請求項１または請求項２に記載のモジュール。
【請求項４】
冷却水は、前記第１のユニット（１）を通って流れた後、前記第２のユニット（１０）において、前記第２のユニット（１０）内への噴射（１３）のために利用可能であることを特徴とする請求項３に記載のモジュール。
【請求項５】
前記第１のユニットには、それを経て、前記第１のユニット（１）内にベーパー蒸気と共に運ばれた空気を、ベーパー蒸気の凝縮後、雰囲気へと排出できるアウトレット（６）が存在することを特徴とする請求項１ないし請求項４のいずれか１項に記載のモジュール。
【請求項６】
前記第２のユニット（１０）は、前記第２のユニット（１０）の上側領域に接続された、タービン排水のためのインレット（１２）を有することを特徴とする請求項１ないし請求項５のいずれか１項に記載のモジュール。
【請求項７】
前記第２のユニット（１０）は、メイン凝縮器へのアウトレット（１４）を有し、前記アウトレット（１４）は、前記第２のユニット（１０）の下側領域に接続されることを特徴とする請求項１ないし請求項６のいずれか１項に記載のモジュール。
【請求項８】
前記第２のユニット（１０）とメイン凝縮器との間には、圧力均等化のために機能する接続ラインが存在し、前記接続ラインは、前記第２のユニット（１０）の上側領域に接続されることを特徴とする請求項１ないし請求項７のいずれか１項に記載のモジュール。
【発明の詳細な説明】
【背景技術】
【０００１】
熱発電プラントの蒸気タービンの適切な機能は、シャフトシールド蒸気システムおよびドレンシステムを必要とする。
【０００２】
シャフトシールド蒸気システムは、蒸気タービンへの空気の侵入を、そしてまた蒸気タービンからパワーハウス内への蒸気の後戻りを防止する目的を有する。そのために、空気および蒸気は、制御された方式でシャフトシールド蒸気システムから取り出される。ベーパー蒸気と呼ばれる、このコンテクストにおいて吸引される空気蒸気混合物は、ベーパー蒸気凝縮器に輸送される。そこでは、ベーパー蒸気の蒸気部分が凝縮する。得られた凝縮液は、熱発電プラントのメイン凝縮器に輸送される。空気は雰囲気中に導かれる。雰囲気とは、主として、概ね大気圧が支配的である領域内に排出される空気を意味する。これは、例えば、熱発電プラントのパワーハウスであってもよい。ベーパー蒸気凝縮器を熱発電プラントの冷却回路により良好に一体化できるようにするために、ベーパー蒸気凝縮器は冷却水の利用可能量のために構成される。
【０００３】
排水システムは、蒸気タービンに蓄積する水を排出する役割を果たす。この水は、依然として、水または凝縮液から除去されなければならない蒸気を含んでいる。この時点で、本願のコンテクストにおいてかつ特に明記しない限り、水は液体の水と、そして蒸気は水蒸気と理解されるべきであることに留意されたい。
【発明の概要】
【発明が解決しようとする課題】
【０００４】
本発明の目的は、上記要件、すなわちタービンドレンおよびベーパー蒸気凝縮のための簡略化された構成を提供することである。
【課題を解決するための手段】
【０００５】
この目的は独立請求項の特徴によって達成される。従属請求項は有利な展開を示している。目的を達成するために、ベーパー蒸気を凝縮するための、そしてタービンドレンからのタービン排水を冷却するための熱発電プラントのためのモジュールが提案される。両方の機能を発揮するそうしたモジュールは、構造の複雑さを軽減することを可能とする。冒頭で述べたように、従来技術においては、冷却回路内の水の利用可能な量のために蒸気凝縮器を構成することが一般的である。これは、概して、過大な蒸気凝縮器を生じる。ベーパー蒸気を凝縮するための、そしてタービン排水を冷却するための共通モジュールは、この欠点を除去することができる。凝縮するベーパー蒸気によって得られる凝縮液をタービン排水を冷却するために使用できることは、このコンテクストにおいて有利である。したがって、専ら凝縮するベーパー蒸気のために冷却水を提供することが可能である。タービン排水を冷却するための冷却水の追加的な提供は不要となる。
【０００６】
改変のために、モジュールの第１のユニットはベーパー蒸気を凝縮するように設計されると共に、第２のユニットはタービン排水を冷却するように設計され、第１のユニット内で生成された凝縮液は第２のユニットへと移動させることができる。このコンテクストでは、第１のユニットにおいて、本質的にタービン排水の冷却を考慮することなくベーパー蒸気の凝縮が生じ得ることが有利である。生成された凝縮液を、タービン排水の冷却が行われる第２のユニットへと移動させることができるので、二つのユニット間の相乗効果を実現することができる。特に、以下の説明の適切な理解のために、第２のユニットは概して上側および下側領域を有することに留意されたい。
【０００７】
モジュールの一実施形態では、凝縮液ラインは第１のユニットから第２のユニットへと凝縮液を移動させるように機能し、特に、蒸気トラップが凝縮液ライン内に存在する。これは凝縮液の適切な移送を可能にする。
【０００８】
モジュールの一実施形態では、冷却水、特に熱発電プラントのメイン凝縮器のスタンドパイプのために提供される冷却水は、第１のユニットを通って流れることができる。このコンテクストでは、メイン凝縮器は、蒸気タービンから、より正確にはそれを通って流動させられる蒸気タービンの部分から流出するベーパー蒸気が凝縮させられる凝縮器として理解すべきである。得られた凝縮液は、加熱されて再び蒸発させられる給水として使用される。
【０００９】
モジュールの一実施形態では、冷却水は、第１のユニットを通って流れた後、第２のユニットにおいて、特に第２のユニット内への噴射のために利用可能である。このコンテクストでは、噴射は、好ましくは、第２のユニットの上側領域において実施される。追加的な冷却水がタービン排水の冷却のために提供される必要がないと先に述べた限りにおいて、本実施形態の場合、当該言及は、ベーパー蒸気を凝縮させるために既に使用された冷却水をタービン排水を冷却するために再度使用できるという効果に対して明確化されるべきである。
【００１０】
モジュールの一実施形態では、第１のユニットには、それを経て、第１のユニット内にベーパー蒸気と共に運ばれた空気を、ベーパー蒸気の凝縮後、特に大気へ排出できるアウトレットが存在する。ベーパー蒸気はかなりの量の空気を含んでいる。含まれるベーパー蒸気は凝縮させることができかつ凝縮液は例えば給水として再利用できるが、空気は除去されなければならない。このコンテクストでは、空気は、好ましくは、大気中に排出される。冒頭で述べたように、これは、例えば、パワーハウス内への空気の排出を意味する。第１のユニットのアウトレットは、通常、第１のユニットの上側領域に設置される。
【００１１】
モジュールの一実施形態では、第２のユニットは、特に、第２のユニットの上側領域に接続された、タービン排水のためのインレットを有する。これによって、冷却されるべきタービン排水が第２のユニットを経て上部から底部へと流れることが、そしてプロセス中に冷却されることが可能となる。
【００１２】
モジュールの一実施形態では、第２のユニットはメイン凝縮器へのアウトレットを有し、このアウトレットは、特に、第２のユニットの下側領域に接続される。これによって、混入蒸気が冷却によって凝縮させられた冷却タービン排水がメイン凝縮器へと移動することが可能となる。タービン排水に加えて、第１のユニットから導入された凝縮液および導入された冷却水を同時に排出することもまた可能である。メイン凝縮器は、概して、回収ボックスを有しており、そこから、メイン凝縮ポンプによってボイラー給水へと凝縮蒸気を供給することができる。その結果、タービン排水を、好ましくは、回収ボックス内へと輸送すると共に、そこからボイラー給水へと供給することができる。主凝縮器へと、すなわち概して回収ボックス内へとタービン排水を輸送するために、ポンプを提供することが、多くの場合、有利である。これによって、必要な場合、メイン凝縮器へのアウトレットを、測地学的にメイン凝縮器の下方に位置させることが可能となる。ポンプはまた、冷却タービン排水の制御された排出のために機能し得る。
【００１３】
モジュールの一実施形態では、第２のユニットとメイン凝縮器との間には、圧力均等化のために機能する接続ラインが存在し、接続ラインは、特に、第２のユニットの上側領域に接続される。これは、同じ圧力が第２のユニット内で、そしてメイン凝縮器内で支配的となることを可能とすることができる。
【００１４】
以下、本発明に係るモジュールを概略的に示す図を参照して、本発明について詳しく説明する。
【図面の簡単な説明】
【００１５】
【図１】本発明に係るモジュールの概略図である。
【発明を実施するための形態】
【００１６】
図１は、ベーパー蒸気を凝縮させるための熱交換器２を含む第１のユニット１を示している。冷却水は、ベーパー蒸気を凝縮させるために、第１のユニット１内に、さらに正確には熱交換器２内に、冷却水供給ライン３を介して輸送される。ベーパー蒸気は蒸気供給ライン４を介して供給される。ベーパー蒸気は熱交換器２内での熱交換によって冷却される。これによって凝縮が始まる。ベーパー蒸気の冷却中に、とりわけ凝縮中に放出された熱は冷却水に伝達される。冷却水は、スタンドパイプへと冷却水排出ライン５を通って流れる。ベーパー蒸気中に含まれる空気は、アウトレットとして機能する空気排出ライン６を介して取り出され、そして熱発電プラントの機械スペース内に輸送される。空気排出ライン６に配置されたファン７はこの取り出しのために機能する。
【００１７】
第１のユニット１で生成された凝縮液は、第２のユニット１０内に、凝縮液ライン８を介して、かつ、この凝縮液ライン８に設置された蒸気トラップ９の助けを借りて輸送される。第２のユニット１０は、本質的に、ドレンタンク１１を備える。このコンテクストでは、凝縮液ライン８は、第２のユニット１０の上側領域内に開口する。これと向き合って、第２のユニットには、タービン排水のためのインレットとしてタービン排水供給ライン１２が配置されている。タービン排水供給ライン１２は、矢印で示すように熱発電プラントのタービン内で生じるタービン排水をドレンタンク１１内に輸送する。ドレンタンク１１内ではタービン排水は下方に流れる。
【００１８】
冷却水排出ライン５を介して第１のユニット１から流出する冷却水の一部は方向転換され、冷却水噴射ライン１３を経て流れるが、そこからそれはドレンタンク１１の上側領域内に噴射される。噴射された冷却水および凝縮液は、ドレンタンク１１内で、導入されたタービン排水を冷却する。これは、タービン排水によって移動させられかつ最初にタービン排水中に依然として含まれているベーパー蒸気を凝縮させる。主としてベーパー蒸気から分離させられたタービン排水、噴射された冷却水、そして導入された凝縮水は、ドレンタンク１１の下側領域に集まる。そこから、それは、熱発電プラントのメイン凝縮器（図示せず）内へと、凝縮液排出ライン１４に含まれるポンプ１５の助けを借りて、アウトレットとして機能する凝縮液排出ライン１４を経て輸送される。ドレンタンク１１の上部に配置された圧力均等化ライン１６はまたメイン凝縮器に接続され、そしてドレンタンク１１がメイン凝縮器の圧力となるようにドレンタンク１１とメイン凝縮器との間の圧力均等化のために機能する。
【００１９】
数百メガワットを発生させる従来型の熱発電プラントでは、最大６００ｋＷの出力は、上述したモジュールにおける熱交換器２にとって十分である。１０Ｋの温度差は十分である。１５ｋｇ／ｓ以下の冷却水が必要とされる。
【００２０】
本発明について好ましい例示的な実施形態によって詳しく説明図示したが、本発明は開示された実施例に限定されるものではなく、当業者であれば、本発明の保護の範囲から逸脱することなく、本明細書の記載からその他の変形例を導き出すことができる。
【符号の説明】
【００２１】
１  第１のユニット
２  熱交換器
３  冷却水供給ライン
４  ベーパー蒸気供給ライン
５  冷却水排出ライン
６  空気排出ライン
７  ファン
８  凝縮液ライン
９  ベーパー蒸気トラップ
１０  第２のユニット
１１  ドレンタンク
１２  タービン排水供給ライン
１３  冷却水噴射ライン
１４  凝縮液排出ライン
１５  ポンプ
１６  圧力均等化ライン
【図１】
0006325099.tif 000002